(57)【特許請求の範囲】
【請求項１】
単一時間帯の電力量の計量と最大需要電力の計量を複合した電子式電力量計と、前記電子式電力量計が得た計量データを基に時間帯別に振り分けて表示する表示装置からなる分離形電子式電力量計において、
前記電子式電力量計は最大需要電力計量に必要とする需要時限に同期した需要時限パルス信号を出力する時限信号出力部と、
前記表示装置は需給カレンダー対応の時間帯切替情報を記憶する時間帯切替情報記憶部と、計時を行うカレンダー時計とを具備し、
前記カレンダー時計の現在時刻より任意の時間を進めた時点の時間帯種別を前記時間帯切替情報記憶部から先行指定する手段と、
前記電子式電力量計からの需要時限パルス信号に同期して前記先行指定された時間帯識別信号を外部に出力する手段とを備えたことを特徴とする分離形電子式電力量計。
【発明の詳細な説明】
【０００１】
【発明の属する技術分野】
この発明は、電力の使用時間帯により電力料金単価の異なる電力量を計量する分離形電子式電力量計に関するものであり、その情報の一部を需要家へ電力管理の情報提供として、現時点での時間帯種別あるいは需要時限を需要家に時間帯識別信号あるいは時限信号として出力するものに関する。
【０００２】
【従来の技術】
図４は、従来の電子式電力量計と表示装置及び電力管理システムのブロック図である。図において、１は電子式電力量計、１ａは被電力計量回路からの電圧・電流入力端子、１１は電圧・電流入力端子１ａへ入力された電圧および電流を演算して電力量に比例した電力量パルス列を生成する電力量演算部、１２は時計部、１３は所定時限内（例えば３０分）の最大需要電力の計量に必要な需要時限を時計部１２から生成する需要時限生成部、１４は電力量演算部１１からの電力量パルス列と、需要時限生成部１３からの時間情報を入力し、電力量および需要時限生成部１３からの需要時限での最大需要電力等を演算計量する演算処理部、１５は演算処理部１４で演算された電力量および最大需要電力を表示する表示部、１６は演算処理部１４で計量した種々の計量データを外部へ出力する計量データ出力部、１ｂは計量データ出力部１６から出力する計量データ信号を外部と接続するための出力端子である。１ｃは電力量演算部１１のパルス列を取り出すパルス列端子である。
【０００３】
２は表示装置であり前記電子式電力量計１から出力された計量データを時間帯別区分し表示する。２ａは入力端子、２１は入力端子２ａから入力される記電子式電力量計１からの計量データを受信する計量データ入力部、２２は計時を行うカレンダー時計、２３は予め定められた需給カレンダーに応じて曜日、時刻別等の計量時間帯を記憶する時間帯情報記憶部、２４はカレンダー時計部２２の現在の日付・時刻情報から計量時間帯を判別する時間帯切替部、２５は時間帯切替部２４からの時間帯情報を基に計量データ入力部２１を経由して入力される計量データを該当する時間帯に振り分け計量処理する時間帯別計量部、２６は時間帯別電力量及び、時間帯別最大需要電力等の計量データをそれぞれ表示する表示部、２７は時間帯切替部２４からの現在の時間帯情報を識別できる形式で外部へ出力する時間帯識別信号出力部、２８はカレンダー時計部２２から需要時限（例えば３０分）の時限信号を外部へ出力する時限信号出力部である。２ｂは時間帯識別信号出力端子、２ｃは時限信号出力端子である。
【０００４】
３はデマンドコントローラ、力率調整装置、電力日報作成装置等の需要家の電力管理機器である。上記電子式電力量計１及び表示装置２は電力会社の所有物であり、電力量演算部１１で生成される電力量パルス列、時間帯切替部２４からの現在の時間帯情報および時限信号出力部２８からの需要時限信号を需要家へ貸し与えて需要家の電力管理機器３の情報源として利用している。
【０００５】
次に動作について説明する。電子式電力量計１では計量部１１において被電力計量回路の電圧・電流を乗算して電力量に比例したパルス列に変換し、単一時間帯の電力量（全日電力量）の計量を行い、電力計量値を表示部１５に表示する。最大需要電力の計量においては、時計部１２から例えば正時（＊＊：００）と３０分（＊＊：３０）を需要時限として需要時限生成部１３で需要時限パルスを生成し、需要時限（３０分）の需要電力量を算出して、最大需要電力値を表示部１５に表示する。また、電力量パルス列は信号線を介して電力管理機器３へ伝送され、そして、表示部１５に表示される電力計量値および最大需要電力値は計量データ出力部１６から表示装置２の計量データ入力部２１へ伝送される。
【０００６】
表示装置２では例えば正時（＊＊：００）と３０分（＊＊：３０）の時点を時限として時間帯別計量部２５に時限信号を出力するとともに、電子式電力量計１へその時点における電力量値あるいは最大需要電力値のデータ要求を行う。計量データ入力部２１が受けた電力計量値を予め定められた需給カレンダーに従って現在の時間帯を識別して前回の時限から今回の時限の間の計量値として算出し、時間帯別に電力計量値および最大需要電力値を振り分けて計量し表示部２６へ表示する。
また、時間帯切替部２４からの時間帯情報は、時間帯識別信号出力部２７を介して外部に提供する。時限信号出力部２８で生成した時限パルスは、出力端子１０を介して外部に提供する。
【０００７】
【発明が解決しようとする課題】
上記のような従来の構成では、電子式電力量計１と表示装置２の間は計量データで受け渡しすることにより、電子式電力量計１の表示部１５に表示する計量データと表示装置２の表示部２６に表示される値は合致するものの、需要家に提供する時限信号あるいは時間帯識別信号は表示装置２のカレンダー時計２２から単独で生成するために、電子式電力量計１の時計の計時と一致性（同期）を持たせることができなかった。
【０００８】
このため、需要家が表示装置２から出力される時限信号あるいは時間帯識別信号を利用して時間帯別電力量や時間帯別最大需要電力の管理を行った場合、需要時限のタイミングあるいは時間帯切替タイミングのずれから表示装置２の表示データと需要家の電力管理機器３での計量値が必ずしも一致しなかった。
このことが、取り引き用計器に不信感を抱き、トラブルの原因になるという課題があった。
【０００９】
この発明は、上記の課題を解決するためになされたもので、電子式電力量計１、表示装置２および需要家に提供する時限信号と時間帯識別信号の時間的一致性（同期）を完全に持たせることで、需要家側が正確な電力管理の実現を図ることが可能となる分離形電子式電力量計を提供することを目的とする。
【００１０】
【課題を解決するための手段】
この発明における分離形電子式電力量計は、表示装置に需給カレンダー対応の時間帯切替情報を記憶する時間帯切替情報記憶部と、計時を行うカレンダー時計とを具備し、カレンダー時計の現在時刻より任意の時間を進めた時点の時間帯種別を前記時間帯切替情報記憶部から先行指定する手段と、電子式電力量計からの需要時限パルス信号に同期して前記先行指定された時間帯識別信号を外部に出力する手段とを備えたものである。
【００１１】
【発明の実施の形態】
実施の形態１．
図１は、この発明の実施の形態１の電子式電力量計と表示装置及び電力管理システムのブロック図である。図において、１ａ〜１ｃ、２ａ〜２ｃ、３、１１〜１６、２１〜２８は上記従来装置の説明と同様のものである。１０は電子式電力量計、１０ｄは時限信号出力端子、１７は時限信号出力部である。２０は表示装置、２０ｄは時限信号入力端子、２９は時間帯同期部である。そして時計部１２およびカレンダー時計２２は停電補償がなされている。
【００１２】
表示装置２０では時間帯情報記憶部２３に予め定められた需給カレンダーに応じてカレンダー時計２２による現在時刻から電力使用時間帯毎に異なる電力料金単価の電力量を各時間帯別に計量する。所定時間内（需要時限３０分）の使用電力量計量の需要時限パルス信号は電子式電力量計１０の需要時限生成部１３で発生され時限信号出力部１７から時限信号出力端子１０ｄを経由して、時間帯同期部２９に入力される。時間帯同期部２９ではカレンダー時計２２での時間帯切替指令と需要時限パルス信号の同期を後述の方法により行い、時間帯識別信号出力部２７を介して外部の需要家の電力管理機器３へ提供する。また、電子式電力量計１０からの需要時限パルス信号も時限信号出力部２８から外部の電力管理機器３へ提供される。
【００１３】
図２は、この発明における時間帯同期部の時間帯切替指令と需要時限パルス信号の同期化を説明するフローチャートである。時間帯同期部２９には３０分毎に１つの需要時限パルス信号が入力され、また、カレンダー時計２２からは時間帯情報記憶部２３の需給カレンダー情報が入力される。時間帯同期部２９ではカレンダー時計２２の現在の日付・時刻に一定時間（例えば１分）を加算した時刻（１分早めた時刻）で時間帯情報記憶部２３の需給カレンダーの時間帯をサーチして、その時刻に該当する時間帯識別信号の出力準備をする。これを例えばラッチ回路にて入力される需要時限パルス信号に同期して、時間帯切替部２４への時間帯切替指令と時間帯識別信号を時間帯識別信号出力部２７を経由して外部に出力される。また、需要時限パルス信号は分岐されて同時に時限信号出力部２８から外部に出力される。
【００１４】
図３は、この発明における時間帯同期部の時間帯切替指令と需要時限パルス信号の同期化を説明するタイミングチャート図である。
時間帯切替情報記憶部２３の需給カレンダーの一例として、
（１）０８：００〜０９：００を第２の時間帯、
（２）０９：００〜１１：００を第４の時間帯、
（３）１１：００〜１２：００を第５の時間帯
需要時限を３０分、時間帯識別先行時間を１分とした場合のタイミングチャートである。電力量計２０からは需要時限パルス信号が３０分毎の＊＊：００あるいは＊＊：３０である０８：３０、０９：００、０９：３０、．．．１１：００に送られてくる。 一方、時間帯同期部では、現在時刻より１分先に時間帯切替をサーチ先行指定するために０８：５９に第２の時間帯から第４の時間帯に切替えられ、１０：５９には第４の時間帯から第５の時間帯５に切り替える。
入力される需要時限パルス信号の立ち上がりのタイミングで先行指定した時間帯種別にラッチすることにより、該当する時間帯出力のみがオンされ、他の時間帯出力はオフとなり、時間帯を識別する時間帯識別信号を出力する。
【００１５】
【発明の効果】
上記のように、時間帯識別信号は電力量計から出力する需要時限パルス信号と同期することが可能となり、電力量計の需要時限、表示装置の時間帯切替処理、需要家に提供する時間帯識別信号および時限信号出力の全てが、時間的一致性を得ることができる。
【図面の簡単な説明】
【図１】  この発明の実施の形態１の電子式電力量計と表示装置及び電力管理システムのブロック図である。
【図２】  この発明の時間帯同期部の時間帯切替指令と需要時限パルス信号の同期化を説明するフローチャートである。
【図３】  この発明における時間帯同期部の時間帯切替指令と需要時限パルス信号の同期化を説明するタイミングチャート図である。
【図４】  従来の電子式電力量計と表示装置及び電力管理システムのブロック図である。
【符号の説明】
１、１０  電子式電力量計、    ２、２０  表示装置、    ３  電力管理機器
１１  電力量演算部、    １２  時計部、    １３  需要時限生成部
１４  演算処理部、    １５  表示部、    １７  時限信号出力部
２２  カレンダー時計、    ２３  時間帯情報記憶部
２４  時間帯切替部、    ２５  時間帯別計量部、  ２６  表示部
２７  時間帯識別信号出力部、    ２８  時限信号出力部
２９  時間帯同期部
【図１】
0003642185.tif 000002
【図２】
0003642185.tif 000003
【図３】
0003642185.tif 000004
【図４】
0003642185.tif 000005